(57)【特許請求の範囲】
【請求項１】
下框と竪框とのコーナ部に取付けるものであり、下框取付部と、竪框取付部と、下振れ止め溝と、竪振れ止め溝とを備え、下框取付部は下框の室内側壁と室外側壁との間に嵌合して下框内に取付けてあり、竪框取付部は竪框の室内側壁と室外側壁との間に嵌合して竪框内に取付けてあると共に竪框の見込み壁に係合することにより下框長手方向の移動を規制し、下振れ止め溝は下框取付部及び竪框取付部の下面に設けてあり且つ溝壁が下枠レールの見付け面に当接することにより下枠レールに対する振れ止めをし、竪振れ止め溝は竪框取付部に設けてあり且つ竪枠の見込み面に設けた上下方向の突条が溝内に位置したときに溝壁が突条の見付け面に当接して竪枠に対する振れ止めをすることを特徴とする引戸障子用振れ止め具。
【発明の詳細な説明】
【技術分野】
【０００１】
本発明は、引戸障子の下框と竪框とのコーナ部に取付けて引戸の振れを防止する引戸障子用振れ止め具に関する。
【背景技術】
【０００２】
竪框の室内側壁と室外側壁との間に嵌合して竪框に装着する引戸障子用振れ止め具が特許文献１から公知である。この引戸障子用振れ止め具は、下面に設けた下振れ止め溝内に下枠レールを配置して、引戸障子が室内外方向に振れようとすると下振れ止め溝の溝壁に下枠レールの見付け面が当接して障子の振れを防止している。
一方、障子の竪框と下框とはねじ止めにより水密に固定することが公知である。
しかし、上記公知技術では風雨により障子に外圧がかかると、竪框と横框との接合部が室内側に押されて竪框と横框とが接合部で折れ曲がる方向の歪みにより下框が竪框から離れ、接合部に隙間ができて水漏れが生じるおそれがある。
【０００３】
【特許文献１】実用新案登録第２５２０４９８号公報
【発明の開示】
【発明が解決しようとする課題】
【０００４】
かかる歪みを防止する為、下框と竪框とを強固に接合して下框と竪框との接合箇所の水密性を高めるようとすると、ねじ止め箇所が多くなって障子の組立て性に劣るという問題がある。
【０００５】
そこで、本発明は、ねじ止め箇所を増やすことなく下框と竪框との接合部の水密性を高めることができる引戸障子用振れ止め具の提供を目的とする。
【課題を解決するための手段】
【０００６】
請求項１に記載の発明は、下框と竪框とのコーナ部に取付けるものであり、下框取付部と、竪框取付部と、下振れ止め溝と、竪振れ止め溝とを備え、下框取付部は下框の室内側壁と室外側壁との間に嵌合して下框内に取付けてあり、竪框取付部は竪框の室内側壁と室外側壁との間に嵌合して竪框内に取付けてあると共に竪框の見込み壁に係合することにより下框長手方向の移動を規制し、下振れ止め溝は下框取付部及び竪框取付部の下面に設けてあり且つ溝壁が下枠レールの見付け面に当接することにより下枠レールに対する振れ止めをし、竪振れ止め溝は竪框取付部に設けてあり且つ竪枠の見込み面に設けた上下方向の突条が溝内に位置したときに溝壁が突条の見付け面に当接して竪枠に対する振れ止めをすることを特徴とする。
【発明の効果】
【０００７】
請求項１に記載の発明によれば、引戸障子用振れ止め具の装着は、下框と竪框とのコーナ部において、引戸障子用振れ止め具を下から押し込んで、下框取付部を下框の室内側壁と室外側壁との間に嵌合し、竪框取付部を竪框の室内側壁と室外側壁との間に嵌合することにより、引戸障子用振れ止め具を下框と竪框とに跨って取付ける。
引戸障子用振れ止め具は、竪框と下框とに嵌合して両者を一体に保持すると共に、竪框取付部は竪框の見込み壁で下框長手方向の移動が規制されているので、風雨の外圧により接合部が室内側に押されても竪框に対して下框が離れ難く、竪框と下框との接合部に隙間ができるのを防止するから、竪框と下框とを固定するねじ止め箇所を増やすことなく、竪框と下框との接合箇所の水密性を高めることができ、障子の組立て性が良い。
下振れ止め溝は溝内に下枠レールを挿入して、引戸障子が室内外方向に振れようとすると、下枠レールの見付け面が下振れ止め溝の溝壁に当接して下枠レールに対する引戸障子の振れを防止する。更に、障子を閉めて、竪振れ止め溝内に竪枠の見込み面に設けた突条が位置し、引戸障子が室内外方向に振れようとすると、竪枠突条の見付け面が竪振れ止め溝の溝壁に当接して竪枠に対する振れを防止する。したがって、引戸障子を閉めた状態では、下振れ止め溝と竪振れ止め溝との２箇所で室内外方向の振れるのを防止でき、振れ止め性能が高い。
【発明を実施するための最良の形態】
【０００８】
以下に、添付図面を参照して本発明の実施の形態を説明する。図１の（ａ）は図２に示す引戸サッシのＡ−Ａ断面図であり、（ｂ）は図２に示す引戸サッシのＢ−Ｂ断面図であり、図２は本発明の実施の形態にかかる引戸障子用振れ止め具を装着した引戸サッシを室内側から見た正面図であり、図３は引戸障子用振れ止め具の図であり、（ａ）は正面図、（ｂ）は平面図、（ｃ）は底面図、（ｄ）は左側面図、（ｅ）は右側面図、（ｆ）は（ｂ）に示すＦ―Ｆ断面図、（ｇ）は（ｂ）に示すＧ−Ｇ断面図である。
本発明の実施の形態にかかる引戸障子用振れ止め具１は、引戸障子（内障子）３の下框５と竪框７とのコーナ部に取付けるものであり、下框取付部９と、竪框取付部１１と、下振れ止め溝１３と、竪振れ止め溝１５とを備えている。この引戸障子用振れ止め具１は、樹脂材を射出成形して一体に製造されている。
下框取付部９は、下框５の室内側壁５ａと室外側壁５ｂとの間に嵌合してあり、下框内５に取付けている。下框取付部９の室内壁９ａと室内側壁９ｂとには各々中空部１７（図３参照）が形成してあり、弾性変形を容易にしてある。
竪框取付部１１は、竪框７の室内側壁７ａと室外側壁７ｂとの間に嵌合して竪框７内に取付けてある。この竪框取付部１１には、竪框７の見込み壁７ｃ及び７ｄに係合部する係合部１９ａ、１９ｂが設けてある。図３に示すように、一方の係合部１９ａは竪框取付部１１の室外側面と室内側面と上面との３面に設けてあり、竪框７の一方の見込み壁７ｃに嵌合する溝である。他方の係合部１９ｂは竪框取付部１１の室内側面と室外側面と上面との３面に設けてあり、竪框７の他方の見込み壁７ｄに嵌合する溝である。竪框取付部１１は、竪框７の一方の見込み壁７ｃと他方の見込み壁７ｄとに係合して下框５の長手方向の移動が規制されている。
下振れ止め溝１３は、下框取付部９及び竪框取付部１１の下面に設けてあり、溝内に下枠レール２１を配置するようになっている。
竪振れ止め溝１５は、竪框取付部１１の竪枠２３側の側面に上下方向に設けてあり、障子を閉めて竪框７が竪枠２３に当接したときに、竪枠２３の竪框側面に設けてある上下方向の突条２５を溝１５内に配置する。竪振れ止め溝１５は室内側溝壁１５ａと室外側溝壁１５ｂを竪枠２３に向けて傾斜しており、溝幅が溝底側ほど狭くなるようにしている。
室内側溝壁１５ａ及び室外側溝壁１５ｂには中空部２７（図３参照）が形成してあり、竪振れ止め溝１５の弾性変形を容易にしている。
【０００９】
次に、本実施の形態にかかる引戸障子用振れ止め具１の取付け、作用及び効果について説明する。
引戸障子用振れ止め具１の装着は、下框５と竪框７とのコーナ部において、引戸障子用振れ止め具１を下から押し込んで、下框取付部９を下框５の室内側壁５ａと室外側壁５ｂとの間に嵌合し、竪框取付部１１を竪框７の室内側壁７ａと室外側壁７ｂとの間に嵌合することにより、下框５と竪框７とに跨って取付ける。引戸障子用振れ止め具１は押込みにより引戸障子３に容易に装着できる。
引戸障子用振れ止め具１は竪框７と下框５とに嵌合して両者を一体に保持し、且つ竪框取付部１１は竪框７の見込み壁７ｃ、７ｄに係合して下框５の長手方向の移動を規制しているので、風雨の外圧により接合部２０が室内側に折れ曲がる方向に押されても竪框７に対して下框５が離れ難く、竪框７に対する下框５の移動により竪框７と下框５との間に隙間ができるのを防止できるから、ねじ止め箇所を増やすことなく竪框７と下框５との接合部２０（図１（ａ）及び図２参照）の水密性を高めることができると共に引戸障子３の組立て性が良い
本実施の形態では、竪框取付部１１に設けた係合部１９ａ、１９ｂは、各々室内側面側と室外側面と上面の三方で各々竪框７の見込み壁７ｃに係合しているので、下框５長手方向の移動を強固に抑えることができる。
下振れ止め溝１３は、溝内に下枠レール２１を挿入して、引戸障子３が室内外方向に振れようとすると、下枠レール２１の見付け面２１ａ（又は２１ｂ）が下振れ止め溝１３の溝壁１３ａ（又は１３ｂ）に当接して、溝壁引戸障子３の振れを防止する。
また、引戸障子３を閉めて（図１（ａ）参照）、竪振れ止め溝１５内に竪枠２３の竪框側面に設けた突条２５が位置するときは、引戸障子３が室内外方向に振れようとすると、竪枠の突条２５の見付け面２５ａ（又は２５ｂ）が竪振れ止め溝１５の溝壁１５ａ（又は１５ｂ）に当接して引戸障子３が室内外方向に振れるのを防止する。したがって、引戸障子３を閉めた状態では、下振れ止め溝１３と竪振れ止め溝１５との２箇所で、引戸障子３が室内外方向に振れるのを防止できるので、振れ止め性能が高い。
【００１０】
次に、本実施の形態にかかる引戸障子用振れ止め具（本発明品）について比較試験をおこなったので、その結果について説明する。比較例品４０は、図４に示すように、竪框取付部４１と竪振れ止め溝４３と下振れ止め溝４５のみを有し且つ竪框７のみに取付けてあり、竪框７と下框５とに跨っていない点が本発明品と異なる。尚、本発明品と比較例品とは同じ引戸障子３に装着した。図４（ａ）は比較例品を装着した引戸サッシを図１（ａ）と同じ位置で切断して示す断面図であり、図４（ｂ）は図１（ｂ）と同じ位置で切断して示す断面図である。
本発明品と比較例品とについて、ＪＩＳ  Ａ  １５１７の水密試験を行った。１分間あたり４リットル／ｍ2の水を噴霧し、脈動圧を１０分間加え、その間の引戸障子３からの漏水状況、及び試験終了後の竪框７と下框５との接合部２０（図１（ａ）及び図２参照）の隙間を測定した。尚、脈動圧は５００Ｐａと７５０Ｐａで行った。
その結果を下記表１に示す。
【００１１】
【表１】
0004738932.tif 000002
【００１２】
この比較試験の結果から明らかなように、水密５００Ｐａ、７５０Ｐａのいずれの場合でも、本発明品１を装着した引戸障子３は比較例品４０を装着した引戸障子３に比べて水密性が高く、しかも下框５と竪框７との接合強度も高かった。
【００１３】
本発明は、上述した実施の形態に限らず、本発明の要旨を逸脱しない範囲で種々変形可能である。
例えば、上述した実施の形態では、引戸障子用振れ止め具１を内障子３に設けたが外障子に設けるものであってよい。
竪框取付部１１には、一方の竪框見込み壁７ｃとの係合部１９ａと、他方の竪框見込み壁７ｄとの係合部１９ｂとの２箇所に設けたが、いずか一箇所であってもよい。
竪框見込み壁との係合部１９ａ、１９ｂは各々、室内側面と室外側面と上面との３面で竪框７の見込み壁７ｃ（又は７ｄ）に係合したが、室内側面と室外側の２面で係合するものであっても良い。
【図面の簡単な説明】
【００１４】
【図１】（ａ）は図２に示すＡ−Ａ断面図であり、（ｂ）は図２に示すＢ−Ｂ断面図である。
【図２】本発明の実施の形態にかかる引戸障子用振れ止め具を装着した引戸サッシを室内側から見た正面図である。
【図３】引戸障子用振れ止め具の図であり、（ａ）は正面図、（ｂ）は平面図、（ｃ）は底面図、（ｄ）は左側面図、（ｅ）は右側面図、（ｆ）は（ｂ）に示すＦ−Ｆ断面図、（ｇ）は（ｂ）に示すＧ−Ｇ断面図である。
【図４】（ａ）は比較例品を装着した引戸サッシを、図１（ａ）と同じ位置で切断して示す断面図であり、（ｂ）は図１（ｂ）と同じ位置で切断して示す断面図である。
【符号の説明】
【００１５】
１      引戸障子用振れ止め具
３      引戸障子
５      下框
５ａ    室内側壁
５ｂ    室外側壁
７      竪框
７ａ    室内側壁
７ｂ    室外側壁
７ｃ、７ｄ  見込み壁
９      下框取付部
１１    竪框取付部
１３    下振れ止め溝
１３ａ  溝壁
１５    竪振れ止め溝
２０    接合部
２１    下枠レール
２１ａ  見付け面
２３    竪枠
２５    突条
２５ａ、２５ｂ  見付け面
【図１】
0004738932.tif 000003
【図２】
0004738932.tif 000004
【図３】
0004738932.tif 000005
【図４】
0004738932.tif 000006